【手続補正書】
【提出日】平成16年12月8日(2004.12.8)
【手続補正１】
【補正対象書類名】明細書
【補正対象項目名】特許請求の範囲
【補正方法】変更
【補正の内容】
【特許請求の範囲】
【請求項１】
次式Ｉ、ＩＩ、ＩＩＩおよびＩＶ
【化１】
1998291969.tif 000001
［式中、
ａは整数１、２または４を表し、
Ａｒはフェニル基、ビフェニル基またはベンゾイルフェニル基であって、未置換もしくはハロゲン原子、炭素原子数１ないし１２のアルキル基、炭素原子数３ないし１２のアルケニル基、炭素原子数５ないし６のシクロアルキル基、フェニル−炭素原子数１ないし３のアルキル基、−ＣＯＯＨ、−ＣＯＯ（炭素原子数１ないし４のアルキル）基、−ＯＲ7、−ＳＨ、−ＳＲ8、−ＳＯＲ8、−ＳＯ2Ｒ8、−ＣＮ、−ＳＯ2ＮＨ2、−ＳＯ2ＮＨ（炭素原子数１ないし４のアルキル）基、−ＳＯ2Ｎ（炭素原子数１ないし４のアルキル）2基、−Ｎ（Ｒ9）（Ｒ10）および−ＮＨＣＯＲ9の中の１ないし５個によって、もしくは次式Ｖ
【化２】
1998291969.tif 000002
で表される基によって置換された基を表すか、
またはＡｒは次式ＶＩまたはＶＩＩ
【化３】
1998291969.tif 000003
で表される基を表し、
Ａｒ1はａが１を表す場合、Ａｒと同じ意味を有し、
ａが２を表す場合、Ａｒ1は次式ＶＩＩＩまたはＶＩＩＩａ
【化４】
1998291969.tif 000004
で表される二価芳香族基を表し、
ａが４を表す場合、Ａｒ1は次式ＶＩＩＩｂ
【化５】
1998291969.tif 000005
で表される四価芳香族基を表し、
Ａｒ2は次式
【化６】
1998291969.tif 000006
で表される基を表し、これらの基は未置換もしくはハロゲン原子、炭素原子数１ないし１２のアルキル基、炭素原子数３ないし１２のアルケニル基、炭素原子数５ないし６のシクロアルキル基、フェニル−炭素原子数１ないし３のアルキル基、−ＣＯＯＨ、−ＣＯＯ（炭素原子数１ないし４のアルキル）基、−ＯＲ7、−ＳＨ、−ＳＲ8、−ＳＯＲ8、−ＳＯ2Ｒ8、−ＣＮ、−ＳＯ2ＮＨ2、−ＳＯ2ＮＨ（炭素原子数１ないし４のアルキル）基、−ＳＯ2Ｎ（炭素原子数１ないし４のアルキル）2基、−Ｎ（Ｒ9）（Ｒ10）および−ＮＨＣＯＲ9の中の１ないし５個によって、もしくは上記で定義された式Ｖで表される基によって置換されているか、またはＡｒ2は次式ＶＩａまたはＶＩＩａ
【化７】
1998291969.tif 000007
で表される基を表し、
Ｘは直接結合、−Ｏ−、−Ｓ−または−Ｎ（Ｒ6）−を表し、
Ｙは水素原子、炭素原子数１ないし１２のアルキル基であって、未置換もしくは−ＯＨ、−ＯＲ6、−ＣＯＯＲ6、−ＳＨ、−Ｎ（Ｒ6）2もしくはハロゲン原子の中の１ないし５個によって置換されているか、もしくは次式Ｉａ
【化８】
1998291969.tif 000008
で表される基によって１ないし５回置換された基を表すか、
またはＹは炭素原子数２ないし２０のアルキル基であって、１ないし９個の−Ｏ−、−Ｎ（Ｒ6）−、−Ｓ−、−ＳＳ−、−Ｘ−Ｃ（＝Ｏ）−、−Ｘ−Ｃ（＝Ｓ）−、−Ｃ（＝Ｏ）−Ｘ−、−Ｘ−Ｃ（＝Ｏ）−Ｘ−、−Ｃ（＝Ｓ）−Ｘ−、次式
【化９】
1998291969.tif 000009
で表される基によって中断された基を表し、ここで該中断された炭素原子数２ないし２０のアルキル基はさらに１ないし５個の−ＳＨによって置換されることができるか、
またはＹはベンジル基であって未置換もしくは−ＣＨ2ＳＨによって１回または２回置換された基を表し、そして該ベンジル基はさらに炭素原子数１ないし４のアルキル基によって置換され得るか、
またはＹは上記で定義されたＡｒ、または次式
【化１０】
1998291969.tif 000010
で表される基を表すか、
またはＹは５ないし７員の脂肪族または芳香族ヘテロ環であって、１ないし４個のＮ、Ｏもしくは／およびＳ原子を含む環を表すか、
またはＹは８ないし１２員の脂肪族または芳香族二環系であって、１ないし６個のＮ、Ｏもしくは／およびＳ原子を含む環系を表し、ここで該単環式または二環式環はさらに−ＳＨによって置換されるか、もしくは式Ｉａで表される基によって１ないし５回置換されることができるか、
またはＹは次式
【化１１】
1998291969.tif 000011
で表される基を表し、
ｑは１または２を表し、
ｒは１、２または３を表し、
ｐは０または１を表し、
ｔは１ないし６を表し、
ｕは２または３を表し、
Ｒ1およびＲ2は互いに独立して炭素原子数１ないし８のアルキル基であって、未置換もしくは−ＯＨ、炭素原子数１ないし４のアルコキシ基、−ＳＨ、−ＣＮ、−ＣＯＯ（炭素原子数１ないし８のアルキル）基、（炭素原子数１ないし４のアルキル）ＣＯＯ−基もしくは−Ｎ（Ｒ3）（Ｒ4）によって置換された基を表すか、
またはＲ1およびＲ2は互いに独立して炭素原子数３ないし６のアルケニル基、フェニル基、クロロフェニル基、Ｒ7−Ｏ−フェニル基、Ｒ8−Ｓ−フェニル基またはフェニル−炭素原子数１ないし３のアルキル基を表し、ここで該炭素原子数３ないし６のアルケニル基、該フェニル基、該クロロフェニル基、該Ｒ7Ｏ−フェニル基、該Ｒ8Ｓ−フェニル基または該フェニル−炭素原子数１ないし３のアルキル基は未置換もしくは１ないし５個の−ＳＨによって置換されているか、
またはＲ1およびＲ2は一緒になって直鎖もしくは枝分れ鎖の炭素原子数２ないし９のアルキレン基、炭素原子数３ないし９のオキサアルキレン基または炭素原子数３ないし９のアザアルキレン基を表し、ここで該炭素原子数２ないし９のアルキレン基、該炭素原子数３ないし９のオキサアルキレン基または該炭素原子数３ないし９のアザアルキレン基は未置
換もしくは１ないし５個の−ＳＨによって置換されているか、
またはＲ1およびＲ2は互いに独立して次式ＩＸまたはＸ
【化１２】
1998291969.tif 000012
で表される基を表し、
Ｒ3は水素原子、炭素原子数１ないし１２のアルキル基、炭素原子数２ないし４のアルキル基であって−ＯＨ、−ＳＨ、炭素原子数１ないし４のアルコキシ基、−ＣＮもしくは−ＣＯＯ（炭素原子数１ないし４のアルキル）基によって置換された基を表すか、
またはＲ3は炭素原子数３ないし５のアルケニル基、炭素原子数５ないし１２のシクロアルキル基またはフェニル−炭素原子数１ないし３のアルキル基を表し、
Ｒ4は炭素原子数１ないし１２のアルキル基、炭素原子数２ないし４のアルキル基であって−ＯＨ、−ＳＨ、炭素原子数１ないし４のアルコキシ基、−ＣＮもしくは−ＣＯＯ（炭素原子数１ないし４のアルキル）基によって置換された基を表すか、
またはＲ4は炭素原子数３ないし５のアルケニル基、炭素原子数５ないし１２のシクロアルキル基、フェニル−炭素原子数１ないし３のアルキル基、未置換のフェニル基、またはフェニル基であってハロゲン原子、炭素原子数１ないし１２のアルキル基、炭素原子数１ないし４のアルコキシ基もしくは−ＣＯＯ（炭素原子数１ないし４のアルキル）基によって置換された基を表すか、
またはＲ4はＲ2と一緒になって炭素原子数１ないし７のアルキレン基、フェニル−炭素原子数１ないし４のアルキレン基、ｏ−キシリレン基、２−ブテニレン基または炭素原子数２ないし３のオキサアルキレン基または炭素原子数２ないし３のアザアルキレン基を表すか、
またはＲ3およびＲ4は一緒になって炭素原子数３ないし７のアルキレン基であって、−Ｏ−、−Ｓ−、−ＣＯ−もしくは−Ｎ（Ｒ6）−によって中断されることができる基を表し、そして該炭素原子数３ないし７のアルキレン基は−ＯＨ、炭素原子数１ないし４のアルコキシ基もしくは−ＣＯＯ（炭素原子数１ないし４のアルキル）基によって置換されることができ、
Ｒ5は炭素原子数１ないし６のアルキレン基、キシリレン基、シクロヘキシレン基を表し、ここで該炭素原子数１ないし６のアルキレン基、該キシリレン基、該シクロヘキシレン基は未置換もしくは１ないし５個の−ＳＨによって置換されているか、
またはＲ5は直接結合を表し、
Ｒ6は水素原子、未置換もしくは−ＯＨ、−ＳＨもしくはＨＳ−（ＣＨ2）q−ＣＯＯ−置換された炭素原子数１ないし１２のアルキル基、炭素原子数２ないし１２のアルキル基であって、−Ｏ−、−ＮＨ−もしくは−Ｓ−によって中断された基を表すか、
またはＲ6は炭素原子数３ないし５のアルケニル基、フェニル−炭素原子数１ないし３のアルキル基、−ＣＨ2ＣＨ2ＣＮ、未置換もしくはＯＨ−もしくはＳＨ−置換された炭素原子数１ないし４のアルキル−ＣＯ−ＣＨ2ＣＨ2−基、未置換もしくはＯＨ−もしくはＳＨ−置換された炭素原子数２ないし８のアルカノイル基を表すか、
またはＲ6はベンゾイル基を表し、
Ｚは次式
【化１３】
1998291969.tif 000013
、−Ｎ（Ｒ17）−または−Ｎ（Ｒ17）−Ｒ18−Ｎ（Ｒ17）−で表される二価基を表し、
Ｕは直鎖または枝分れ鎖の炭素原子数１ないし７のアルキレン基を表し、
ＶおよびＷは互いに独立して直接結合、−Ｏ−、−Ｓ−または−Ｎ（Ｒ6）−を表し、但しＶおよびＷは同時に両方とも直接結合を表さず、
ＭはＯ、ＳまたはＮ（Ｒ6）を表し、
Ｒ7は水素原子、炭素原子数１ないし１２のアルキル基、炭素原子数３ないし１２のアルケニル基、シクロヘキシル基、ヒドロキシシクロヘキシル基を表すか、
またはＲ7は炭素原子数１ないし４のアルキル基であって、Ｃｌ、Ｂｒ、−ＣＮ、−ＳＨ、−Ｎ（炭素原子数１ないし４のアルキル）2基、ピペリジノ基、モルホリノ基、−ＯＨ、炭素原子数１ないし４のアルコキシ基、−ＯＣＨ2ＣＨ2ＣＮ、−ＯＣＨ2ＣＨ2ＣＯＯ（炭素原子数１ないし４のアルキル）基、−ＯＯＣＲ19、−ＣＯＯＨ、−ＣＯＯ（炭素原子数１ないし８のアルキル）基、−ＣＯＮＨ（炭素原子数１ないし４のアルキル）基、−ＣＯＮ（炭素原子数１ないし４のアルキル）2基、次式
【化１４】
1998291969.tif 000014
で表される基、−ＣＯ（炭素原子数１ないし４のアルキル）基もしくは次式
【化１５】
1998291969.tif 000015
で表される基によりモノ−またはポリ置換された基を表すか、
またはＲ7は２，３−エポキシプロピル基、−（ＣＨ2ＣＨ2Ｏ）mＨ、未置換のフェニル基、またはフェニル基であってハロゲン原子、炭素原子数１ないし４のアルキル基、炭素原子数１ないし４のアルコキシ基もしくは−ＣＯＯ（炭素原子数１ないし４のアルキル）基によって置換された基を表すか、
またはＲ7はフェニル−炭素原子数１ないし３のアルキル基、テトラヒドロピラニル基、テトラヒドロフラニル基、−ＣＯＯＲ19、−ＣＯＯ（炭素原子数１ないし８のアルキル）基、−ＣＯＮＨ（炭素原子数１ないし４のアルキル）基、−ＣＯＮ（炭素原子数１ないし８のアルキル）2基、−Ｓｉ（Ｒ20）（Ｒ21）2または−ＳＯ2Ｒ22を表し、
Ｒ8は炭素原子数１ないし１２のアルキル基、炭素原子数３ないし１２のアルケニル基、シクロヘキシル基、ヒドロキシシクロヘキシル基を表すか、
またはＲ8は炭素原子数１ないし４のアルキル基であって、Ｃｌ、Ｂｒ、−ＣＮ、−ＳＨ、−Ｎ（炭素原子数１ないし４のアルキル）2基、ピペリジノ基、モルホリノ基、−ＯＨ、炭素原子数１ないし４のアルコキシ基、−ＯＣＨ2ＣＨ2ＣＮ、−ＯＣＨ2ＣＨ2ＣＯＯ（炭素原子数１ないし４のアルキル）基、−ＯＯＣＲ19、−ＣＯＯＨ、−ＣＯＯ（炭素原子数１ないし８のアルキル）基、−ＣＯＮ（炭素原子数１ないし４のアルキル）2基、次式
【化１６】
1998291969.tif 000016
で表される基、−ＣＯ（炭素原子数１ないし４のアルキル）基もしくは次式
【化１７】
1998291969.tif 000017
で表される基によりモノ−またはポリ置換された基を表すか、
またはＲ8は２，３−エポキシプロピル基、フェニル−炭素原子数１ないし３のアルキル基、フェニル−炭素原子数１ないし３のヒドロキシアルキル基、未置換のフェニル基、またはフェニル基であってハロゲン原子、−ＳＨ、炭素原子数１ないし４のアルキル基、炭素原子数１ないし４のアルコキシ基もしくは−ＣＯＯ（炭素原子数１ないし４のアルキル
）基によってモノ−またはポリ置換された基を表すか、
またはＲ8は２−ベンゾチアジル基、２−ベンズイミダゾリル基、−ＣＨ2ＣＨ2−Ｏ−ＣＨ2ＣＨ2−ＳＨまたは−ＣＨ2ＣＨ2−Ｓ−ＣＨ2ＣＨ2−ＳＨを表し、
Ｒ9およびＲ10は互いに独立して水素原子、炭素原子数１ないし１２のアルキル基、炭素原子数２ないし４のアルキル基であって−ＯＨ、−ＳＨ、炭素原子数１ないし４のアルコキシ基、−ＣＮもしくは−ＣＯＯ（炭素原子数１ないし４のアルキル）基によって置換された基を表すか、
またはＲ9およびＲ10は互いに独立して炭素原子数３ないし５のアルケニル基、シクロヘキシル基、フェニル−炭素原子数１ないし３のアルキル基、未置換のフェニル基、またはフェニル基であって炭素原子数１ないし１２のアルキル基もしくはハロゲン原子によってモノ−またはポリ置換された基を表すか、
またはＲ9およびＲ10は一緒になって炭素原子数２ないし７のアルキレン基であって−Ｏ−、−Ｓ−もしくは−Ｎ（Ｒ18）−によって中断されることができる基を表し、
Ｒ11およびＲ12は互いに独立して直接結合、−ＣＨ2−、−ＣＨ2ＣＨ2−、−Ｏ−、−Ｓ−、−ＣＯ−または−Ｎ（Ｒ6）−を表し、但しＲ11およびＲ12は同時に直接結合を表さず、
Ｒ13は水素原子、炭素原子数１ないし８のアルキル基またはフェニル基を表し、ここで該炭素原子数１ないし８のアルキル基または該フェニル基は未置換もしくは１ないし５個の−ＳＨによって置換されており、
Ｒ14、Ｒ15およびＲ16は互いに独立して水素原子または未置換もしくはＳＨ−置換された炭素原子数１ないし４のアルキル基を表し、
Ｒ17は水素原子、未置換もしくはＳＨ−置換された炭素原子数１ないし８のアルキル基または未置換もしくはＳＨ−置換されたフェニル基を表し、
Ｒ18は直鎖または枝分れ鎖の炭素原子数２ないし１６のアルキレン基であって、１ないし６個の−Ｏ−、−Ｓ−もしくは−Ｎ（Ｒ17）−によって中断されることができるか、もしくは１ないし５個の−ＳＨ基によって置換されることができる基を表し、
Ｒ19は炭素原子数１ないし４のアルキル基、炭素原子数２ないし４のアルケニル基またはフェニル基を表し、
Ｒ20およびＲ21は互いに独立して炭素原子数１ないし４のアルキル基またはフェニル基を表し、
Ｒ22は炭素原子数１ないし１８のアルキル基、フェニル基または炭素原子数１ないし１４のアルキル基によって置換されたフェニル基を表し、
Ａｒ3はフェニル基、ナフチル基、フリル基、チエニル基またはピリジル基を表し、ここで前記基は未置換もしくはハロゲン原子、−ＳＨ、−ＯＨ、炭素原子数１ないし１２のアルキル基、炭素原子数１ないし４のアルキル基であって−ＯＨ、ハロゲン原子、−ＳＨ、−Ｎ（Ｒ17）2、炭素原子数１ないし１２のアルコキシ基、−ＣＯＯ（炭素原子数１ないし１８のアルキル）基、−ＣＯ（ＯＣＨ2ＣＨ2）nＯＣＨ3もしくは−ＯＣＯ（炭素原子数１ないし４のアルキル）基によって置換された基によって置換されているか、もしくは前記基は炭素原子数１ないし１２のアルコキシ基、炭素原子数１ないし４のアルコキシ基であって−ＣＯＯ（炭素原子数１ないし１８のアルキル）基もしくは−ＣＯ（ＯＣＨ2ＣＨ2）nＯＣＨ3によって置換された基によって置換されているか、もしくは前記基は−（ＯＣＨ2ＣＨ2）nＯＨ、−（ＯＣＨ2ＣＨ2）nＯＣＨ3、炭素原子数１ないし８のアルキルチオ基、フェノキシ基、−ＣＯＯ（炭素原子数１ないし１８のアルキル）基、−ＣＯ（ＯＣＨ2ＣＨ2）nＯＣＨ3、フェニル基もしくはベンゾイル基によって置換されており、
ｎは１ないし２０を表し、
ｍは２ないし２０を表し、
但し基Ａｒ、Ａｒ1、Ａｒ2、Ａｒ3、Ｒ1、Ｒ2、Ｒ3、Ｒ4、Ｒ5またはＹのうちの少なくとも一つは１ないし５個の−ＳＨ基によって置換されているか、
またはＹは少なくとも一つの−ＳＳ−基を含み、
またＲ3およびＲ4がモルホリノ基を表しかつＲ1およびＲ2が同時にメチル基を表す場合、
Ａｒ1は−ＳＲ8（式中、Ｒ8はＨまたは−ＣＨ2ＣＨ2−Ｏ−ＣＨ2ＣＨ2ＳＨを表す。）によって置換されたフェニル基を表さない。］で表される化合物、または式Ｉ、ＩＩ、ＩＩＩもしくはＩＶで表される化合物の酸添加塩。
【請求項２】
（ａ）少なくとも１種の光重合可能なエチレン性不飽和化合物と、および
（ｂ）少なくとも１種の請求項１において定義された式Ｉ、ＩＩ、ＩＩＩまたはＩＶで表される化合物
とからなる組成物。
【請求項３】
（ａ）分子構造中に少なくとも二つのエチレン性不飽和基および少なくとも一つのカルボキシル官能基を有するポリマーまたはオリゴマーと、および
（ｂ）光開始剤として、少なくとも１種の次式Ｉ、ＩＩ、ＩＩＩまたはＩＶ
【化１８】
1998291969.tif 000018
［式中、ａは整数１、２または４を表し、
Ａｒはフェニル基、ビフェニル基またはベンゾイルフェニル基であって、未置換もしくはハロゲン原子、炭素原子数１ないし１２のアルキル基、炭素原子数３ないし１２のアルケニル基、炭素原子数５ないし６のシクロアルキル基、フェニル−炭素原子数１ないし３のアルキル基、−ＣＯＯＨ、−ＣＯＯ（炭素原子数１ないし４のアルキル）基、−ＯＲ7、−ＳＨ、−ＳＲ8、−ＳＯＲ8、−ＳＯ2Ｒ8、−ＣＮ、−ＳＯ2ＮＨ2、−ＳＯ2ＮＨ（炭素原子数１ないし４のアルキル）基、−ＳＯ2Ｎ（炭素原子数１ないし４のアルキル）2基、−Ｎ（Ｒ9）（Ｒ10）および−ＮＨＣＯＲ9の中の１ないし５個によって、もしくは次式Ｖ
【化１９】
1998291969.tif 000019
で表される基によって置換された基を表すか、またはＡｒは次式ＶＩまたはＶＩＩ
【化２０】
1998291969.tif 000020
で表される基を表し、
Ａｒ1はａが１を表す場合、Ａｒと同じ意味を有し、
ａが２を表す場合、Ａｒ1は次式ＶＩＩＩまたはＶＩＩＩａ
【化２１】
1998291969.tif 000021
で表される二価芳香族基を表し、
ａが４を表す場合、Ａｒ1は次式ＶＩＩＩｂ
【化２２】
1998291969.tif 000022
で表される四価芳香族基を表し、
Ａｒ2は次式
【化２３】
1998291969.tif 000023
で表される基を表し、これらの基は未置換もしくはハロゲン原子、炭素原子数１ないし１２のアルキル基、炭素原子数３ないし１２のアルケニル基、炭素原子数５ないし６のシクロアルキル基、フェニル−炭素原子数１ないし３のアルキル基、−ＣＯＯＨ、−ＣＯＯ（炭素原子数１ないし４のアルキル）基、−ＯＲ7、−ＳＨ、−ＳＲ8、−ＳＯＲ8、−ＳＯ2Ｒ8、−ＣＮ、−ＳＯ2ＮＨ2、−ＳＯ2ＮＨ（炭素原子数１ないし４のアルキル）基、−ＳＯ2Ｎ（炭素原子数１ないし４のアルキル）2基、−Ｎ（Ｒ9）（Ｒ10）および−ＮＨＣＯＲ9の１ないし５個によって、もしくは上記で定義された式Ｖで表される基によって置換されているか、
またはＡｒ2は次式ＶＩａまたはＶＩＩａ
【化２４】
1998291969.tif 000024
で表される基を表し、Ｘは直接結合、−Ｏ−、−Ｓ−または−Ｎ（Ｒ6）−を表し、
Ｙは水素原子、炭素原子数１ないし１２のアルキル基であって、未置換もしくは−ＯＨ、−ＯＲ6、−ＣＯＯＲ6、−ＳＨ、−Ｎ（Ｒ6）2もしくはハロゲン原子の中の１ないし５個によって置換されているか、もしくは次式Ｉａ
【化２５】
1998291969.tif 000025
で表される基によって１ないし５回置換された基を表すか、
またはＹは炭素原子数２ないし２０のアルキル基であって、１ないし９個の−Ｏ−、−Ｎ（Ｒ6）−、−Ｓ−、−ＳＳ−、−Ｘ−Ｃ（＝Ｏ）−、−Ｘ−Ｃ（＝Ｓ）−、−Ｃ（＝Ｏ）−Ｘ−、−Ｘ−Ｃ（＝Ｏ）−Ｘ−、−Ｃ（＝Ｓ）−Ｘ−、次式
【化２６】
1998291969.tif 000026
で表される基によって中断された基を表し、ここで該中断された炭素原子数２ないし２０のアルキル基はさらに１ないし５個の−ＳＨによって置換されることができるか、
またはＹはベンジル基であって未置換もしくは−ＣＨ2ＳＨによって１回または２回置換された基を表し、そして該ベンジル基はさらに炭素原子数１ないし４のアルキル基によって置換され得るか、
またはＹは上記で定義されたＡｒ、または次式
【化２７】
1998291969.tif 000027
で表される基を表すか、
またはＹは５ないし７員の脂肪族または芳香族ヘテロ環であって、１ないし４個のＮ、Ｏもしくは／およびＳ原子を含む環を表すか、
またはＹは８ないし１２員の脂肪族または芳香族二環系であって、１ないし６個のＮ、Ｏもしくは／およびＳ原子を含む環系を表し、ここで該単環式または二環式環はさらに−ＳＨによって置換されるか、もしくは式Ｉａで表される基によって１ないし５回置換されることができるか、
またはＹは次式
【化２８】
1998291969.tif 000028
で表される基を表し、
ｑは１または２を表し、
ｒは１、２または３を表し、
ｐは０または１を表し、
ｔは１ないし６を表し、
ｕは２または３を表し、
Ｒ1およびＲ2は互いに独立して炭素原子数１ないし８のアルキル基であって、未置換もしくは−ＯＨ、炭素原子数１ないし４のアルコキシ基、−ＳＨ、−ＣＮ、−ＣＯＯ（炭素原子数１ないし８のアルキル）基、（炭素原子数１ないし４のアルキル）ＣＯＯ−基もしくは−Ｎ（Ｒ3）（Ｒ4）によって置換された基を表すか、
またはＲ1およびＲ2は互いに独立して炭素原子数３ないし６のアルケニル基、フェニル基、クロロフェニル基、Ｒ7−Ｏ−フェニル基、Ｒ8−Ｓ−フェニル基またはフェニル−炭素原子数１ないし３のアルキル基を表し、ここで該炭素原子数３ないし６のアルケニル基、該フェニル基、該クロロフェニル基、該Ｒ7Ｏ−フェニル基、該Ｒ8Ｓ−フェニル基または該フェニル−炭素原子数１ないし３のアルキル基は未置換もしくは１ないし５個の−ＳＨによって置換されているか、
またはＲ1およびＲ2は一緒になって直鎖もしくは枝分れ鎖の炭素原子数２ないし９のアルキレン基、炭素原子数３ないし９のオキサアルキレン基または炭素原子数３ないし９のアザアルキレン基を表し、ここで該炭素原子数２ないし９のアルキレン基、該炭素原子数３ないし９のオキサアルキレン基または該炭素原子数３ないし９のアザアルキレン基は未置換もしくは１ないし５個の−ＳＨによって置換されているか、
またはＲ1およびＲ2は互いに独立して次式ＩＸまたはＸ
【化２９】
1998291969.tif 000029
で表される基を表し、
Ｒ3は水素原子、炭素原子数１ないし１２のアルキル基、炭素原子数２ないし４のアルキル基であって−ＯＨ、−ＳＨ、炭素原子数１ないし４のアルコキシ基、−ＣＮもしくは−ＣＯＯ（炭素原子数１ないし４のアルキル）基によって置換された基を表すか、
またはＲ3は炭素原子数３ないし５のアルケニル基、炭素原子数５ないし１２のシクロアルキル基またはフェニル−炭素原子数１ないし３のアルキル基を表し、
Ｒ4は炭素原子数１ないし１２のアルキル基、炭素原子数２ないし４のアルキル基であって−ＯＨ、−ＳＨ、炭素原子数１ないし４のアルコキシ基、−ＣＮもしくは−ＣＯＯ（炭素原子数１ないし４のアルキル）基によって置換された基を表すか、
またはＲ4は炭素原子数３ないし５のアルケニル基、炭素原子数５ないし１２のシクロアルキル基、フェニル−炭素原子数１ないし３のアルキル基、未置換のフェニル基、またはフェニル基であってハロゲン原子、炭素原子数１ないし１２のアルキル基、炭素原子数１ないし４のアルコキシ基もしくは−ＣＯＯ（炭素原子数１ないし４のアルキル）基によって置換された基を表すか、
またはＲ4はＲ2と一緒になって炭素原子数１ないし７のアルキレン基、フェニル−炭素原子数１ないし４のアルキレン基、ｏ−キシリレン基、２−ブテニレン基または炭素原子数２ないし３のオキサアルキレン基または炭素原子数２ないし３のアザアルキレン基を表すか、
またはＲ3およびＲ4は一緒になって炭素原子数３ないし７のアルキレン基であって、−Ｏ−、−Ｓ−、−ＣＯ−もしくは−Ｎ（Ｒ6）−によって中断されることができる基を表し、そして該炭素原子数３ないし７のアルキレン基は−ＯＨ、炭素原子数１ないし４のアルコキシ基もしくは−ＣＯＯ（炭素原子数１ないし４のアルキル）基によって置換されることができ、
Ｒ5は炭素原子数１ないし６のアルキレン基、キシリレン基、シクロヘキシレン基を表し、ここで該炭素原子数１ないし６のアルキレン基、該キシリレン基、該シクロヘキシレン基は未置換もしくは１ないし５個の−ＳＨによって置換されているか、
またはＲ5は直接結合を表し、
Ｒ6は水素原子、未置換もしくは−ＯＨ、−ＳＨもしくはＨＳ−（ＣＨ2）q−ＣＯＯ−置換された炭素原子数１ないし１２のアルキル基、炭素原子数２ないし１２のアルキル基であって、−Ｏ−、−ＮＨ−もしくは−Ｓ−によって中断された基を表すか、
またはＲ6は炭素原子数３ないし５のアルケニル基、フェニル−炭素原子数１ないし３のアルキル基、−ＣＨ2ＣＨ2ＣＮ、未置換もしくはＯＨ−もしくはＳＨ−置換された炭素原子数１ないし４のアルキル−ＣＯ−ＣＨ2ＣＨ2−基、未置換もしくはＯＨ−もしくはＳＨ−置換された炭素原子数２ないし８のアルカノイル基を表すか、
またはＲ6はベンゾイル基を表し、
Ｚは次式
【化３０】
1998291969.tif 000030
、−Ｎ（Ｒ17）−または−Ｎ（Ｒ17）−Ｒ18−Ｎ（Ｒ17）−で表される二価基を表し、
Ｕは直鎖または枝分れ鎖の炭素原子数１ないし７のアルキレン基を表し、
ＶおよびＷは互いに独立して直接結合、−Ｏ−、−Ｓ−または−Ｎ（Ｒ6）−を表し、但しＶおよびＷは同時に両方とも直接結合を表さず、
ＭはＯ、ＳまたはＮ（Ｒ6）を表し、
Ｒ7は水素原子、炭素原子数１ないし１２のアルキル基、炭素原子数３ないし１２のアルケニル基、シクロヘキシル基、ヒドロキシシクロヘキシル基を表すか、
またはＲ7は炭素原子数１ないし４のアルキル基であって、Ｃｌ、Ｂｒ、−ＣＮ、−ＳＨ、−Ｎ（炭素原子数１ないし４のアルキル）2基、ピペリジノ基、モルホリノ基、−ＯＨ、炭素原子数１ないし４のアルコキシ基、−ＯＣＨ2ＣＨ2ＣＮ、−ＯＣＨ2ＣＨ2ＣＯＯ（炭素原子数１ないし４のアルキル）基、−ＯＯＣＲ19、−ＣＯＯＨ、−ＣＯＯ（炭素原子数１ないし８のアルキル）基、−ＣＯＮＨ（炭素原子数１ないし４のアルキル）基、−ＣＯＮ（炭素原子数１ないし４のアルキル）2基、次式
【化３１】
1998291969.tif 000031
で表される基、−ＣＯ（炭素原子数１ないし４のアルキル）基もしくは次式
【化３２】
1998291969.tif 000032
で表される基によりモノ−またはポリ置換された基を表すか、
またはＲ7は２，３−エポキシプロピル基、−（ＣＨ2ＣＨ2Ｏ）mＨ、未置換のフェニル基、またはフェニル基であってハロゲン原子、炭素原子数１ないし４のアルキル基、炭素原子数１ないし４のアルコキシ基もしくは−ＣＯＯ（炭素原子数１ないし４のアルキル）基によって置換された基を表すか、
またはＲ7はフェニル−炭素原子数１ないし３のアルキル基、テトラヒドロピラニル基、テトラヒドロフラニル基、−ＣＯＯＲ19、−ＣＯＯ（炭素原子数１ないし８のアルキル）基、−ＣＯＮＨ（炭素原子数１ないし４のアルキル）基、−ＣＯＮ（炭素原子数１ないし８のアルキル）2基、−Ｓｉ（Ｒ20）（Ｒ21）2または−ＳＯ2Ｒ22を表し、
Ｒ8は炭素原子数１ないし１２のアルキル基、炭素原子数３ないし１２のアルケニル基、シクロヘキシル基、ヒドロキシシクロヘキシル基を表すか、
またはＲ8は炭素原子数１ないし４のアルキル基であって、Ｃｌ、Ｂｒ、−ＣＮ、−ＳＨ、−Ｎ（炭素原子数１ないし４のアルキル）2基、ピペリジノ基、モルホリノ基、−ＯＨ、炭素原子数１ないし４のアルコキシ基、−ＯＣＨ2ＣＨ2ＣＮ、−ＯＣＨ2ＣＨ2ＣＯＯ（炭素原子数１ないし４のアルキル）基、−ＯＯＣＲ19、−ＣＯＯＨ、−ＣＯＯ（炭素原子数１ないし８のアルキル）基、−ＣＯＮ（炭素原子数１ないし４のアルキル）2基、次式
【化３３】
1998291969.tif 000033
で表される基、−ＣＯ（炭素原子数１ないし４のアルキル）基もしくは次式
【化３４】
1998291969.tif 000034
で表される基によりモノ−またはポリ置換された基を表すか、
またはＲ8は２，３−エポキシプロピル基、フェニル−炭素原子数１ないし３のアルキル基、フェニル−炭素原子数１ないし３のヒドロキシアルキル基、未置換のフェニル基、またはフェニル基であってハロゲン原子、−ＳＨ、炭素原子数１ないし４のアルキル基、炭素原子数１ないし４のアルコキシ基もしくは−ＣＯＯ（炭素原子数１ないし４のアルキル）基によってモノ−またはポリ置換された基を表すか、
またはＲ8は２−ベンゾチアジル基、２−ベンズイミダゾリル基、−ＣＨ2ＣＨ2−Ｏ−ＣＨ2ＣＨ2−ＳＨまたは−ＣＨ2ＣＨ2−Ｓ−ＣＨ2ＣＨ2−ＳＨを表し、
Ｒ9およびＲ10は互いに独立して水素原子、炭素原子数１ないし１２のアルキル基、炭素原子数２ないし４のアルキル基であって−ＯＨ、−ＳＨ、炭素原子数１ないし４のアルコキシ基、−ＣＮもしくは−ＣＯＯ（炭素原子数１ないし４のアルキル）基によって置換された基を表すか、
またはＲ9およびＲ10は互いに独立して炭素原子数３ないし５のアルケニル基、シクロヘキシル基、フェニル−炭素原子数１ないし３のアルキル基、未置換のフェニル基、またはフェニル基であって炭素原子数１ないし１２のアルキル基もしくはハロゲン原子によってモノ−またはポリ置換された基を表すか、
またはＲ9およびＲ10は一緒になって炭素原子数２ないし７のアルキレン基であって−Ｏ−、−Ｓ−もしくは−Ｎ（Ｒ18）−によって中断されることができる基を表し、
Ｒ11およびＲ12は互いに独立して直接結合、−ＣＨ2−、−ＣＨ2ＣＨ2−、−Ｏ−、−Ｓ−、−ＣＯ−または−Ｎ（Ｒ6）−を表し、但しＲ11およびＲ12は同時に直接結合を表さず、
Ｒ13は水素原子、炭素原子数１ないし８のアルキル基またはフェニル基を表し、ここで該炭素原子数１ないし８のアルキル基または該フェニル基は未置換もしくは１ないし５個の−ＳＨによって置換されており、
Ｒ14、Ｒ15およびＲ16は互いに独立して水素原子または未置換もしくはＳＨ−置換された炭素原子数１ないし４のアルキル基を表し、
Ｒ17は水素原子、未置換もしくはＳＨ−置換された炭素原子数１ないし８のアルキル基または未置換もしくはＳＨ−置換されたフェニル基を表し、
Ｒ18は直鎖または枝分れ鎖の炭素原子数２ないし１６のアルキレン基であって、１ないし６個の−Ｏ−、−Ｓ−もしくは−Ｎ（Ｒ17）−によって中断されることができるか、もしくは１ないし５個の−ＳＨ基によって置換されることができる基を表し、
Ｒ19は炭素原子数１ないし４のアルキル基、炭素原子数２ないし４のアルケニル基またはフェニル基を表し、
Ｒ20およびＲ21は互いに独立して炭素原子数１ないし４のアルキル基またはフェニル基を表し、
Ｒ22は炭素原子数１ないし１８のアルキル基、フェニル基または炭素原子数１ないし１４のアルキル基によって置換されたフェニル基を表し、
Ａｒ3はフェニル基、ナフチル基、フリル基、チエニル基またはピリジル基を表し、ここで前記基は未置換もしくはハロゲン原子、−ＳＨ、−ＯＨ、炭素原子数１ないし１２のアルキル基、炭素原子数１ないし４のアルキル基であって−ＯＨ、ハロゲン原子、−ＳＨ、−Ｎ（Ｒ17）2、炭素原子数１ないし１２のアルコキシ基、−ＣＯＯ（炭素原子数１ないし１８のアルキル）基、−ＣＯ（ＯＣＨ2ＣＨ2）nＯＣＨ3もしくは−ＯＣＯ（炭素原子数１ないし４のアルキル）基によって置換された基によって置換されているか、もしくは前記基は炭素原子数１ないし１２のアルコキシ基、炭素原子数１ないし４のアルコキシ基であって−ＣＯＯ（炭素原子数１ないし１８のアルキル）基もしくは−ＣＯ（ＯＣＨ2ＣＨ2）nＯＣＨ3によって置換された基によって置換されているか、もしくは前記基は−（ＯＣＨ2ＣＨ2）nＯＨ、−（ＯＣＨ2ＣＨ2）nＯＣＨ3、炭素原子数１ないし８のアルキルチオ基、フェノキシ基、−ＣＯＯ（炭素原子数１ないし１８のアルキル）基、−ＣＯ（ＯＣＨ2ＣＨ2）nＯＣＨ3、フェニル基もしくはベンゾイル基によって置換されており、
ｎは１ないし２０を表し、
ｍは２ないし２０を表し、
但し基Ａｒ、Ａｒ1、Ａｒ2、Ａｒ3、Ｒ1、Ｒ2、Ｒ3、Ｒ4、Ｒ5またはＹのうちの少なくとも一つは１ないし５個の−ＳＨ基によって置換されているか、またはＹは少なくとも一つの−ＳＳ−基を含む。］で表される化合物、または式Ｉ、ＩＩ、ＩＩＩもしくはＩＶで表される化合物の酸添加塩とからなる組成物。
【請求項４】
成分（ａ）および（ｂ）に加えて、少なくとも１種のさらなる光開始剤（ｄ）および／または他の添加剤、および所望により補助開始剤（ｃ）を含有する、請求項３に記載の組成物。
【請求項５】
請求項３に記載の組成物および顔料もしくは染料および所望により増感剤からなる印刷インク。
【請求項６】
エチレン性不飽和化合物の光重合のための光開始剤としての請求項１に定義された式Ｉ、ＩＩ、ＩＩＩまたはＩＶで表される化合物。
【請求項７】
着色および非着色塗料およびワニスを製造するための、透明および着色水性分散液、粉体塗料、印刷インク、印刷版、接着剤、歯科用充填組成物、導波管、光スイッチ、着色防止系、ガラス繊維ケーブル被覆物、スクリーン印刷ステンシル、レジスト材料、複合組成物を製造するための、写真複写のための、スクリーン印刷のためのマスクを製造するための、印刷電子回路のためのフォトレジストのための、電気および電子部品をカプセル封入するための、磁気記録材料を製造するための、立体リソグラフまたはバルク硬化により三次元物体を製造するための、および特にホログラフ記録のための画像記録材料としての、請求項３に記載の組成物。
【請求項８】
少なくとも一つの表面が請求項３に記載の組成物で被覆された被覆支持体。